(57)【要約】【課題】靴等の商品の陳列に好適な陳列用什器を提案する。【解決手段】壁面に多数の溝が形成された陳列用什器本体の溝に係止されて物品を陳列する陳列用什器であって、陳列用什器本体に係止される係止部とこの係止部に設けられた載置板とこの載置板上に載置された物品を保持する物品保持手段からなるもので、載置板を物品より小さくしても物品が載置板から落ちることが無く、載置板が目立たないように商品陳列することが出来る。又、載置板を傾斜させて物品の上面を見やすく展示することが出来る。【選択図】        図１
2004242861.tif 000002
【特許請求の範囲】
【請求項１】
壁面に多数の溝が形成された陳列用什器本体の溝に係止されて物品を陳列する陳列用什器であって、陳列用什器本体に係止される係止部とこの係止部に設けられた載置板とこの載置板上に載置された物品を保持する物品保持手段からなることを特徴とする陳列用什器。
【請求項２】
載置板の表面に滑り止めシートが貼着されて物品保持手段となされたことを特徴とする請求項１記載の陳列用什器。
【請求項３】
基材の表面に人造砥粒が分散配設されて滑り止めシートとなされたことを特徴とする請求項２記載の陳列用什器。
【請求項４】
載置板の基端に物品を掛止する掛止部が設けられこの掛止部が物品保持手段となされたことを特徴とする請求項１記載の陳列用什器。
【請求項５】
載置板の基端に物品を把持する把持部が設けられ、この把持部が物品保持手段となされたことを特徴とする請求項１記載の陳列用什器。
【発明の詳細な説明】
【０００１】
【発明の属する技術分野】
本発明は、壁面を利用して商品などを陳列する陳列用什器に関し、特にスニーカーなどの靴を陳列するのに好適な陳列用什器に関する。
【０００２】
【従来の技術】
【特許文献１】特開平７−２２２６５７号公報
従来、壁面を利用して靴などの商品を効果的に陳列することが出来る商品陳列構造が特開平７−２２２６５７号公報に提案されている。この陳列構造は、立設された壁面の縦一列に適宜の間隔でｍ個並んだ係合用穴の列が、壁面横方向に等間隔でｎ列並ぶよう形成され、上記係合用穴の全部もしくは大部分に、商品保持用の棒状体が、壁面に対し略垂直に突出するよう係合され、上記係合された少なくとも２本の棒状体突出部を利用して商品が係止された状態で陳列されているもので、この商品陳列構造によれば、各商品が棚板で仕切られた空間に収納されるのではなく、壁面から突出する棒状体に直接係止されるだけなので、上方からの照明が棚板で遮られることがなく、各商品が非常に明るく照らされることとなる。したがって、各商品が明るく、しかも陰影がくっきりするため、商品が非常に立体的に見え、顧客へのアピール力が強いという利点を有する。また、商品を棒状体に係止させる際に、隣合う２本の棒状体の上に載せたり、左右方向から２本の棒状体で挟持させたり、適宜の３本の棒状体の間にはめ込んだりして、その商品の向きを自由に選択することができる、という利点を有する。
【０００３】
【発明が解決しようとする課題】
しかしながら上記の如き特開平７−２２２６５７号公報に提案されている商品陳列構造に於いては、靴を傾斜させて陳列するには、３本の棒状体の間にはめて陳列せねばならず、棒状体が目立ってしまうという問題があった。
【０００４】
そこで本発明者は従来の欠点に鑑み鋭意研究の結果、特にスニーカーなどの靴の陳列に好適な陳列用什器を提案するものである。
【０００５】
【課題を解決するための手段】
本発明請求項１記載の陳列用什器は、壁面に多数の溝が形成された陳列用什器本体の溝に係止されて物品を陳列する陳列用什器であって、陳列用什器本体に係止される係止部とこの係止部に設けられた載置板とこの載置板上に載置された物品を保持する物品保持手段からなるもので、載置板を物品より小さくしても物品が載置板から落ちることが無く、載置板が目立たないように商品陳列することが出来る。又、載置板を傾斜させて物品の上面を見やすく展示することが出来る。
【０００６】
本発明請求項２記載の陳列用什器は、載置板の表面に滑り止めシートが貼着されて物品保持手段となされたもので、載置板上に載置された物品が滑りにくく、載置板を傾斜させて物品の上面を見やすく展示することが出来る。
【０００７】
本発明請求項３記載の陳列用什器は、基材の表面に人造砥粒が分散配設されて滑り止めシートとなされたもので、滑り止めシートの表面に水などが付着しても滑りやすくなることがない。
【０００８】
本発明請求項４記載の陳列用什器は、載置板の基端に物品を掛止する掛止部が設けられこの掛止部が物品保持手段となされたもので、載置板上の物品が滑ることがない。
【０００９】
本発明請求項５記載の陳列用什器は、載置板の基端に物品を把持する把持部が設けられ、この把持部が物品保持手段となされたもので、載置板上の物品が滑ることがない。
【００１０】
【発明の実施の形態】
以下、図面を参照しながら本発明に付いて説明する。
図１は本発明陳列用什器の実施形態の一例を示す斜視図である。図に於いて、１は載置板であり、長方形状の板体の先端と基端に円板状の板体１１が設けられている。板体１１の上面には、正方形状の滑り止めシート１２が貼着されている。載置板１の基部には棒状の回動軸が設けられ、係止部２側壁に設けられた軸受け２１に回動可能に挿入されている。係止部２は上端が折曲されて陳列用什器本体の溝に係止されるようになされている。本発明における滑り止めシートとしては適宜滑り止めシートが用いられてもよいが、合成樹脂シートの表面に人造砥粒が分散配設された滑り止めシートが特に好適に用いられる。
【００１１】
図２は本発明陳列用什器にスニーカーを陳列した状態を示す、斜視図である。図に於いて、陳列用什器の載置板１は、スニーカーの靴底より小型とされているためスニーカーを陳列したときにスニーカーの陰に隠れ、陳列用什器が目立たず商品の展示効果に優れる。
【００１２】
図３は本発明陳列用什器の第２の例を示す（イ）は正面図であり、（ロ）は側面図である。図に於いて、係止部２の下端が鈍角に折曲され、載置板１となされている。係止部２の側壁には筒状の軸受け２１が設けられ、この軸受け２１に掛止部３の基端が上下動可能に挿入されている。この例に於いては、スニーカーは爪先下がりに載置板１上に陳列され、スニーカーの甲の部分が見やすくされる。又、掛止部３の先端が履き口に挿入され、踵部内面に当接され、スニーカーが載置板１から滑り落ちないように掛止される。
【００１３】
図４は本発陳列用什器明の第３の例を示す（イ）は正面図であり、（ロ）は側面図である。図に於いて、係止部２の下端が直角に折曲され、載置板１となされている。係止部２の側壁には筒状の軸受け２１が設けられ、この軸受け２１に掛止部３の基端が上下動可能に挿入されている。この例に於いては、スニーカーは水平に載置板１上に陳列され、スニーカーが水平に展示される。又、掛止部３の先端が履き口に挿入され、踵部内面に当接され、スニーカーが載置板１から滑り落ちないように掛止される。
【００１４】
図５は本発陳列用什器明の第４の例を示す（イ）は正面図であり、（ロ）は側面図である。図に於いて、係止部２の下端が鈍角に折曲され、載置板１となされている。係止部２の側壁には線材からなる把持部４を上下に回動可能に軸着するための回動受け部が設けられている。この例に於ける把持部４は線材をコ字型に折曲したもので、基部が前記回動受け部に回動可能に軸着されている。スニーカー側壁をこの把持部４の先端で挟持し、スニーカーが滑り落ちないようにスニーカーが把持される。
【００１５】
図６は本発陳列用什器明の第５の例を示す（イ）は正面図であり、（ロ）は側面図である。図に於いて、係止部２の下端が鈍角に折曲され、載置板１となされている。係止部２の側壁には透明の合成樹脂板をＣ形に折曲して作製された把持部４が設けられている。載置板１上にスニーカーを載置するとき、スニーカーは踵部からこの把持部４に挿入され、左右から踵部側壁が把持されるようになされている。
【００１６】
【発明の効果】
上述の如く、本発明請求項１記載の陳列用什器は、壁面に多数の溝が形成された陳列用什器本体の溝に係止されて物品を陳列する陳列用什器であって、陳列用什器本体に係止される係止部とこの係止部に設けられた載置板とこの載置板上に載置された物品を保持する物品保持手段からなるもので、載置板を物品より小さくしても物品が載置板から落ちることが無く、載置板が目立たないように商品陳列することが出来る。又、載置板を傾斜させて物品の上面を見やすく展示することが出来る。
【００１７】
又、本発明請求項２記載の陳列用什器は、載置板の表面に滑り止めシートが貼着されて物品保持手段となされたもので、載置板上に載置された物品が滑りにくく、載置板を傾斜させて物品の上面を見やすく展示することが出来る。
【００１８】
又、本発明請求項３記載の陳列用什器は、基材の表面に人造砥粒が分散配設されて滑り止めシートとなされたもので、滑り止めシートの表面に水などが付着しても滑りやすくなることがない。
【００１９】
本発明請求項４記載の陳列用什器は、載置板の基端に物品を掛止する掛止部が設けられこの掛止部が物品保持手段となされたもので、載置板上の物品が滑ることがない。
【００２０】
本発明請求項５記載の陳列用什器は、載置板の基端に物品を把持する把持部が設けられ、この把持部が物品保持手段となされたもので、載置板上の物品が滑ることがない。
【図面の簡単な説明】
【図１】本発明陳列用什器の実施形態の一例を示す斜視図である。
【図２】本発明陳列用什器にスニーカーを陳列した状態を示す、斜視図である。
【図３】本発明陳列用什器の第２の例を示す（イ）は正面図であり、（ロ）は側面図である。
【図４】本発陳列用什器明の第３の例を示す（イ）は正面図であり、（ロ）は側面図である。
【図５】本発陳列用什器明の第４の例を示す（イ）は正面図であり、（ロ）は側面図である。
【図６】本発陳列用什器明の第５の例を示す（イ）は正面図であり、（ロ）は側面図である。
【符号の説明】
１    載置板
１１  板体
１２  滑り止めシート
１３  回動軸
２    係止部
２１  軸受け
３    掛止部
４    把持部
【図１】
2004242861.tif 000003
【図２】
2004242861.tif 000004
【図３】
2004242861.tif 000005
【図４】
2004242861.tif 000006
【図５】
2004242861.tif 000007
【図６】
2004242861.tif 000008